(57)【要約】      （修正有）【課題】椅子に座ったまま、コタツで暖をとることのできる毛布を提供する。【解決手段】毛布本体（６）の左端に面ファスナーの凹部（４）を設け、本体の右端の裏側に面ファスナーの凸部（５）を設け、面ファスナー（４）と面ファスナーの凸部（５）を結合させることにより毛布本体（６）を腰部に巻きつけることができるようにする。さらに、本体他方の両隅に細い輪ゴム（３）を設けてコタツ布団に連結できるようにする。【選択図】図２
2013188297.tif 000002
【特許請求の範囲】
【請求項１】
椅子に座ってコタツで暖をとれる毛布本体（６）の左端にマジックテープ（商標登録）の凹部（４）を設け、本体の左端の裏側にマジックテープ（商標登録）の凸部（５）を設け、本体他方の両隅に細い輪ゴム（３）を設けてコタツ布団に連結する、椅子に座って暖をとれる毛布。
【発明の詳細な説明】
【技術分野】
【０００１】
腰痛の人，膝の痛い人にもコタツで暖をとれるようにコタツの布団に毛布を連結して，暖をとれるようにした毛布に関する。
【背景技術】
【０００２】
従来，床に座ってコタツで暖をとっているが，膝が痛い人や腰が痛い人は床に座れず暖をとれない。特許文献１にも提案されているが，椅子に座って使用するコタツは提案されているが，床に座って暖を取っている家庭で，膝が痛い人や腰が痛い人ができたら，床に座れないため，椅子に座ったまま暖をとらなければならないが，その条件を満たしてくれるものは現在他に見当たらない。
【先行技術文献】
【特許文献】
【０００３】
【特許文献１】特開２００６−２１８２８６広報ＤＢ
【発明の概要】
【発明が解決しようとする課題】
【０００４】
一般家庭では，床に座ってコタツで暖をとる生活をしているが，家族の一人が膝や腰の痛みが激しく座って暖を取れないときに，椅子に座ったままコタツで暖をとれるようにする事が必要でありこれは，解決をしなければならない課題である。
【課題を解決するための手段】
【０００５】
課題を解決するために本発明は，以下の構成とした。  腰痛の人や膝が痛い人は，コタツに座って暖をとれないため，椅子に座ったままコタツに接近し，椅子に座ってコタツで暖をとる毛布本体（６）の手前左右端にマジックテープ（商標登録）凹部（５）凸部（４）を設け，コタツの布団に接する面の左右に細い輪ゴム（３）を設け，コタツ布団に連結して，椅子に座ったままで暖をとれるようにした。
【発明の効果】
【０００６】
本発明は，以下の効果を有する。
１．腰や膝が悪くコタツに座って暖をとれない人が，椅子に座ったまま暖をとる事ができる。
２．痛みからくる苦痛がなく，ストレスも防ぐ事ができる。
３．椅子用コタツに買い替える必要がない。
【図面の簡単な説明】
【０００７】
【図１】本発明の平面図にコタツの布団の平面図を連結した図
【図２】本発明の平面図
【図３】椅子に座ってコタツで暖をとっている使用側面図
【発明を実施するための形態】
【０００８】
以下本発明の実施形態について説明する。
椅子に座ってコタツで暖をとれる毛布の設置方法は，本発明（６）の左右の輪ゴムをコタツ側にして，椅子の座部から背にかけて設置して，その上に座ってマジックテープ（商標登録）の凹部（５）凸部（４）を腰部で貼りあわせて，且つ左右の輪ゴム（３）をコタツ布団の左右の端にそれぞれ通して固定させ，足にはコタツ布団をかけると熱は外部に逃げることなく身体を暖める事が出来る。
面倒であれば，（６）を椅子と背中の中間に固定させるのではなく椅子の外側から包んでしまう要領で，その他は前述と同じ方法で固定させて身体を暖めることができる。
【符号の説明】
【０００９】
（１）コタツ布団          
（２）天板スペース
（３）輪ゴム  
（４）マジックテープ（商標登録）凸部
（５）マジックテープ（商標登録）凹部
（６）椅子に座ってコタツで暖をとる毛布本体
（７）天板
（８）椅子
【図１】
2013188297.tif 000003
【図２】
2013188297.tif 000004
【図３】
2013188297.tif 000005
【手続補正書】
【提出日】平成24年6月20日(2012.6.20)
【手続補正１】
【補正対象書類名】特許請求の範囲
【補正対象項目名】請求項１
【補正方法】変更
【補正の内容】
【請求項１】
椅子に座ってコタツで暖をとれる毛布本体（６）の左端に面ファスナーの凹部（４）を設け，本体の右端の裏側に面ファスナーの凸部（５）を設け，本体他方の両隅に細い輪ゴム（３）を設けてコタツ布団に連結する，椅子に座って暖をとれる毛布。
【手続補正２】
【補正対象書類名】明細書
【補正対象項目名】全文
【補正方法】変更
【補正の内容】
【発明の詳細な説明】
【技術分野】
【０００１】
腰痛の人，膝の痛い人にもコタツで暖をとれるようにコタツの布団に毛布を連結して，
暖をとれるようにした毛布に関する。
【背景技術】
【０００２】
従来，床に座ってコタツで暖をとっているが，膝が痛い人や腰が痛い人は床に座れず暖をとれない。特許文献１にも提案されているが，椅子に座って使用するコタツは
提案されているが，床に座って暖を取っている家庭で，膝が痛い人や腰が痛い人ができたら，床に座れないため，椅子に座ったまま暖をとらなければならないが，その条件を満たしてくれるものは現在他に見当たらない。
特許文献１参照
【先行技術文献】
【特許文献】
【０００３】
特開２００６−２１８２８６広報ＤＢ
【発明の概要】
【発明が解決しようとする課題】
【０００４】
一般家庭では，床に座ってコタツで暖をとる生活をしているが，家族の一人が膝や腰の痛みが激しく座って暖を取れないときに，椅子に座ったままコタツで暖をとれるようにする事が必要でありこれは，解決をしなければならない課題である。
【課題を解決する手段】
【０００５】
課題を解決するために本発明は，以下の構成とした。  腰痛の人や膝が痛い人は，コ
タツに座って暖をとれないため，椅子に座ったままコタツに接近し，椅子に座ってコ
タツで暖をとる毛布本体（６）の手前左右端に面ファスナー凹部（５）凸部（４）を設け，コタツの布団に接する面の左右に細い輪ゴム（３）を設け，コタツ布団に連結して，椅子に座ったままで暖をとれるようにした。
【発明の効果】
【０００６】
本発明は，以下の効果を有する。
１．腰や膝が悪くコタツに座って暖をとれない人が，椅子に座ったまま暖をとる
事ができる。
２．痛みからくる苦痛がなく，ストレスも防ぐ事ができる。
３．椅子用コタツに買い替える必要がない。
【図面の簡単な説明】
【０００７】
【図１】本発明の平面図にコタツの布団の平面図を連結した図
【図２】本発明の平面図
【図３】椅子に座ってコタツで暖をとっている使用側面図
【発明を実施するための形態】
【０００８】
以下本発明の実施形態について説明する。
椅子に座ってコタツで暖をとれる毛布の設置方法は，毛布本体（６）の左右の輪ゴムをコタツ側にして，椅子の座部から背にかけて設置して，その上に座って面ファスナーの凹部（５）凸部（４）を腰部で貼りあわせて，且つ左右の輪ゴム（３）をコタツ布団の左右の端にそれぞれ通して固定させ，足にはコタツ布団をかけると熱は外部に逃げることなく身体を暖める事が出来る。
面倒であれば，毛布本体（６）を椅子と背中の中間に固定させるのではなく椅子の外側から包んでしまう要領で，その他は前述と同じ方法で固定させて身体を暖めることができる。
【符号の説明】
【０００９】
（１）コタツ布団          
（２）天板スペース
（３）輪ゴム  
（４）面ファスナー凸部
（５）面ファスナー凹部
（６）椅子に座ってコタツで暖をとる毛布本体
（７）天板
（８）椅子